(57)【特許請求の範囲】
【請求項１】
ガスメータを経由した後の配管に接続される複数のガス器具の使用状況を監視するとともに、異常発生時にガスの供給を遮断するガス遮断装置であって、通過ガス量を計測する流量測定手段と、前記流量測定手段の流量信号により個別流量の増減を演算し、増減した個別器具の個別演算流量を出力する個別器具演算手段と、前記個別器具演算手段より増加流量が出力された場合に個別演算流量として登録され、減少流量が出力された場合に前記個別演算流量が削除される登録部と前記登録部より削除された前記個別演算流量が保持される保持部とを有する個別器具登録保持手段と、前記個別器具登録保持手段より個別演算流量を受け取り、前記個別器具の継続使用時間が所定時間以上続いた場合に異常信号を出力する異常流量判定部と、前記異常信号を受信してガス通路を遮断する遮断手段とを備え、前記個別演算流量が増減して登録されていない個別演算流量が前記登録部に登録される場合、前記保持部に保持している個別演算流量もしくは保持している複数の個別演算流量を足し合わせた流量と比較を行い、いずれかと同一と判定した場合、再度保持していた個別演算流量を登録して該当する個別器具が継続して使用されていると判定し、継続使用時間が所定時間以上続いた場合に、異常判定部の判定によりガス通路を遮断することを特徴とするガス遮断装置。
【請求項２】
請求項１記載の遮断装置の手段の全てもしくは一部としてコンピュータを機能させるためのプログラム。
【発明の詳細な説明】
【技術分野】
【０００１】
本発明は、ガス遮断装置に関して特に流量登録機能に関するものである。
【背景技術】
【０００２】
従来、この種のガス遮断装置としては、通過ガス量に対応した流量信号を出力する流量測定手段と、流量信号が増減したときに使用中の個別器具の増減を推定し、増減した器具の推定個別演算流量と使用した時間を出力する個別器具推定手段と、あらかじめ使用する個別器具の流量を登録し登録個別流量と使用時間を出力する個別流量登録手段と、登録個別流量を記憶する個別流量記憶手段と、増減した器具の推定個別演算流量が個別流量記憶手段の登録個別流量に含まれず、かつ増減した器具の継続使用時間が第１の所定時間以上続いた場合に個別異常信号を出力する異常流量判定部と、前記個別異常信号を受信して、ガス流量の異常を警告報知する報知手段、またはガス通路を遮断する遮断手段と、個別器具推定手段の器具の推定個別演算流量が個別流量記憶手段の登録個別流量に含まれず、かつ個別器具推定手段の器具の使用した時間が第２の所定時間よりも長く第１の所定時間よりも短い場合個別流量推定手段の推定個別演算流量を個別流量記憶手段に登録する常時個別流量登録手段とを備えたガス遮断装置が開示されている（例えば、特許文献１参照）。
【０００３】
この特許文献１のガス遮断装置について図３を用いて簡単に説明すると、１０１は流量測定手段で、ガスメータに取り付けられた流量センサである。１０２は個別器具推定手段で、流量センサ１の流量信号ｓを一定計測期間（３０秒）の平均流量として演算し、この平均流量の増減をもとに使用中の個別流量の増減を推定し、増減した器具の推定個別演算流量Ｑと使用した時間を出力する。この個別器具推定手段１０２は、平均流量が増加した場合はその増加分のガス器具が使用されたと判断し、平均流量が減少した場合はその減少分のガス器具を止めたと判断し、使用中の個別器具を推定する。１０３は個別流量登録手段で、その家庭で使用する個別器具の流量（Ｑｉ）を予めインプットする設定器である。１０４は個別流量記憶手段で、個別流量登録手段１０３の個別器具の流量（Ｑｉ）と常時個別流量登録手段１０７の流量を順次Ｑ１，Ｑ２，Ｑ３，・・・，Ｑｎと記憶する。１０５は異常流量判定部で、個別器具推定手段１０２から出力される推定個別流量Ｑが個別流量記憶手段１０４の｛Ｑ１，Ｑ２，Ｑ３，・・・，Ｑｎ｝に含まれず、かつ推定個別流量Ｑが第１の所定時間（１０分）以上続けば、個別異常信号Ｅを出力する。１０６は報知手段あるいは遮断手段で、個別異常信号Ｅを受けて警告報知するＬＣＤやＬＥＤ、またはガス通路を遮断する遮断弁を備えている。１０７は常時個別流量登録手段で、個別流量推定手段１０２から出力される推定個別流量Ｑが第２の所定時間（３分）以上かつ第１の所定時間（１０分）以内の場合前記推定個別流量Ｑを個別流量記憶手段１０４に出力する。
【０００４】
次に従来例の構成の動作を説明する。流量測定手段１０１の流量信号をもとに平均流量を計算する。この平均流量と前前回の計測の平均流量との変化流量をもとめ、増加の変化か減少の変化かを判断し、それぞれの処理により推定個別演算流量Ｑをもとめる。増加減少処理の結果あらたに出現したこの推定個別演算流量Ｑが、個別流量記憶手段１０４に含まれるかどうかかつ、第１の所定時間（１０分間）使用されたかどうかの判断をする。含まれずかつ、１０分以上使用されれば報知手段または遮断手段１０６を動作させる。含まれずまたは、１０分以上使用されなければ、それぞれ未登録流量か、３分以上使用されたか、１０分以下の使用時間であるかを判断し、すべてに合致していれば、常時個別流量登録手段１０７は、個別流量記憶手段１０４に登録の処理を行う。
【０００５】
いま、複数器具の同時使用により、Ｑｔ（例としてＱ２＋Ｑ３）という平均流量の増加があり、使用時間がたとえば７分、すなわち、７分後に平均流量が減少した場合には、個別器具推定手段１０２より推定個別流量Ｑｔを出力される。この推定個別流量Ｑｔは、常時個別流量登録手段１０７により使用時間が３分以上かつ１０分以下ということで個別流量記憶手段１０４に登録される。以降、個別流量記憶手段１０４に登録されるので、この流量が１０分以上出現しても、遮断することはない。すなわち、同時立ち上げするケースの多いガス器具による誤遮断を低減することができる。また、買い替え器具等による、新
しい個別流量Ｑｋ（３分以上１０分以下）があった場合には、個別器具推定手段１０２より推定個別流量Ｑｋが出力される。この推定個別流量Ｑｋは、常時個別流量登録手段１０７により使用時間が３分以上かつ１０分以下ということで個別流量記憶手段１０４に登録される。
【０００６】
以降、個別流量記憶手段１０４に登録されるので、この流量が１０分以上出現しても遮断することはない。それぞれの家庭で使用する個別器具をあらかじめ記憶し、個別器具以外の流量によるガス漏れによる事故を未然に防ぐことができ、器具の同時立ち上げあるいは器具の買い替え等による誤遮断を防止できる。
【０００７】
また、図４に示すように、通過ガス量に応じて流量信号を出力する流量測定手段１、流量測定手段１から送られる流量信号を受けて一定期間の平均流量を演算し、この平均流量の増減を一定回数毎に演算することにより使用中の器具の増減を演算し、増減した器具の演算流量を出力する個別器具演算手段２と、この増減した器具の演算流量を登録し最大個別演算流量を出力する個別器具登録部６と、前記最大個別演算流量を受け取り、器具の継続使用時間が所定時間以上続いた場合に個別異常信号を出力する異常流量判定部個別異常信号を受けて遮断信号を出力し、ガス通路を遮断する遮断手段とからなっている。個別器具登録部６の流量登録、流量削除のフローについて図５に示す（例えば、特許文献２参照）。
【特許文献１】特開平７−４４２３９号公報
【特許文献２】特開平５−１３４７６２号公報
【発明の開示】
【発明が解決しようとする課題】
【０００８】
近年、ガス器具において流量を制御して使用する器具が存在するようになった。給湯器などガス使用流量の大きい器具が流量を制御する場合、ガスファンヒーターなどガス使用量の小さい器具を同時に使用すると、ガス遮断装置がその制御による増減の流量変化分をガス流量の小さい器具と見なしてしまい、個別器具登録機能としてガス流量の小さい器具の流量を削除する場合が考えられる。そのような場合、ガス使用流量の大きい器具を使用停止すると再度新規流量として登録するが、２つ以上の小さい器具の同時使用していた場合など、一つの器具と推定することにより実際のより大きな流量として登録してしまい、誤遮断してしまっていた。
【０００９】
本発明は、流量変化によって流量の変化量をガス遮断装置に登録または削除する個別流量登録機能において、流量変化において個別器具登録部より削除された流量を保持し、再度流量変化があったときに保持した流量もしくは保持した流量の合計が、新規流量と同一とみなした場合、削除された流量がまだ流れていたとして新規流量ではなく保持されていた流量を個別器具登録部に登録することより、２つ以上の器具の同時使用を一つの器具と推定することを防止し、実際の継続時間より短い時間にて保安動作を行うことを防止する。
【課題を解決するための手段】
【００１０】
第１の発明は、通過ガス量に計測する流量測定手段と、前記流量信号が増減したときに使用中の個別器具の増減を演算し、増減した器具の個別演算流量を出力する個別器具演算手段と、個別演算流量を登録して最大個別演算流量を出力し、減少した個別演算流量を保持し、前記演算流量が増減し登録されていない流量を登録しようとしたときに保持している流量もしくは保持している流量を足し合わせた流量であるかを判定し、判定した結果同一とみなせば減少していなかったとして再度保持していた流量を登録する個別器具登録保持手段と、前記最大個別演算流量を受け取り、器具の継続使用時間が所定時間以上続いた場合に個別異常信号を出力する異常流量判定部と、前記個別異常信号を受信して、ガス流
量の異常を警告報知する報知手段、またはガス通路を遮断する遮断手段とを備えたガス遮断装置であり、流量の減少により一度削除してしまった登録流量を保持しておき、同一とみなせば再度登録することで２つ以上の器具の同時使用を一つの器具と推定することを防止し、実際の継続時間より短い時間にて保安動作を行うことを防止する。
【発明の効果】
【００１１】
以上の説明から明らかなように、本発明のガス遮断装置は流量を変化させて制御する大きなガス使用量の器具と小さなガス使用量の器具の組み合わせによる使用時に、２つ以上の器具の同時使用を一つの器具と推定することを防止し、実際の継続時間より短い時間にて保安動作を行うことを防止する。
【発明を実施するための最良の形態】
【００１２】
第１の発明は、ガスメータを経由した後の配管に接続される複数のガス器具の使用状況を監視するとともに、異常発生時にガスの供給を遮断するガス遮断装置であって、通過ガス量を計測する流量測定手段と、前記流量測定手段の流量信号により個別流量の増減を演算し、増減した個別器具の個別演算流量を出力する個別器具演算手段と、前記個別器具演算手段より増加流量が出力された場合に個別演算流量として登録され、減少流量が出力された場合に前記個別演算流量が削除される登録部と前記登録部より削除された前記個別演算流量が保持される保持部とを有する個別器具登録保持手段と、前記個別器具登録保持手段より個別演算流量を受け取り、前記個別器具の継続使用時間が所定時間以上続いた場合に異常信号を出力する異常流量判定部と、前記異常信号を受信してガス通路を遮断する遮断手段とを備え、前記個別演算流量が増減して登録されていない個別演算流量が前記登録部に登録される場合、前記保持部に保持している個別演算流量もしくは保持している複数の個別演算流量を足し合わせた流量と比較を行い、いずれかと同一と判定した場合、再度保持していた個別演算流量を登録して該当する個別器具が継続して使用されていると判定し、継続使用時間が所定時間以上続いた場合に、異常判定部の判定によりガス通路を遮断することを特徴とするものである。
【００１３】
そして、流量の減少により一度削除してしまった登録流量を保持しておき、特に複数の個別演算流量を足し合わせた流量と比較を行い、同一とみなせば再度登録することで、ひとつの器具としてでなく、複数の登録流量として登録しなおすことができ、２つ以上の器具の同時使用を一つの器具と推定することを防止し、実際の継続時間より短い時間にて保安動作を行うことを防止する。
【００１４】
（実施の形態１）
以下、本発明のガス遮断装置の実施例を添付図面に基づいて説明する。
【００１５】
第１の実施例のガス遮断装置について、図１に基づいて説明する。図１において、１はガスメータに取り付けられた流量センサや超音波センサなどの流量測定手段である。２は流量測定手段１の流量信号を一定計測期間の平均流量として演算し、この平均流量の増減をもとに使用中の個別流量の増減を演算し、増減した器具の個別演算流量を出力する個別器具演算手段である。この個別器具演算手段２は、平均流量が増加した場合はその増加分のガス器具が使用されたと判断し、平均流量が減少した場合はその減少分のガス器具を止めたと判断し使用中の個別器具を演算する。個別器具登録保持手段３は、個別器具演算手段２から出力される個別演算流量Ｑが増加流量の場合は流量Ｑ１，Ｑ２，Ｑ３を登録部３１に登録し、減少流量の場合は登録したＱ１、Ｑ２、Ｑ３と比べて同一とみなすＱを登録部３１から削除すると同時にＱｈ１，Ｑｈ２、Ｑｈ３を保持部３２に登録し、最大個別流量信号を出力する。この個別器具登録保持手段３は、個別器具演算流量が減少流量を受け取り削除する該当登録流量がない場合に、最も近い登録流量から削除してＱｈ１、Ｑｈ２、Ｑｈ３に保持していき、削除した登録流量と減少流量との差分を増加流量として再度登
録する前に、保持している流量Ｑｈ１，Ｑｈ２，Ｑｈ３がある場合は、Ｑｈ１、Ｑｈ２、Ｑｈ３、Ｑｈ１＋Ｑｈ２、Ｑｈ２＋Ｑｈ３、Ｑｈ１＋Ｑｈ２＋Ｑｈ３のそれぞれの流量と比較を行い、いずれかと同一とみなしたとき（例えば数パーセント以内で一致する）、Ｑ１、Ｑ２、Ｑ３に登録し、Ｑｈ１、Ｑｈ２、Ｑｈ３を削除する。（例えば、Ｑｈ２＋Ｑｈ３と一致した場合は、Ｑｈ２、Ｑｈ３をＱ２、Ｑ３に登録し、Ｑｈ２とＱｈ３を削除する）４は個別器具登録保持手段３から前記最大個別流量信号を受け取り、器具の継続使用時間が所定時間以上続いた場合に個別異常信号を出力する異常流量判定部である。５は前記個別異常信号を受信して、ガス流量の異常を警告報知する報知手段、またはガス通路を遮断する遮断手段である。なお、個別器具登録保持部３からの最大個別流量信号は登録している流量Ｑ１，Ｑ２，Ｑ３の最大流量が変更したときのみ出力してもかまわない。削除した流量Ｑｈ１、Ｑｈ２、Ｑｈ３を保持している期間は、登録流量がなくなる（流量なくなる）まで、もしくは、一定時間のみでもよい。また、登録または保持できる流量の個数は３つに限らない。
【００１６】
上述した手段は、マイクロコンピュータなどのプログラム動作による演算や判定機能をもちいれば容易に実現できるものである。
【００１７】
図２に上記第１の実施例の個別器具登録保持手段３の流量登録、削除、保持のフローを示す。
【００１８】
個別演算流量があれば、増加流量であるかを判定し、増加流量であれば、Ｑ１、Ｑ２、Ｑ３と登録していく。個別演算流量が減少流量であれば登録流量Ｑ１、Ｑ２、Ｑ３と比較を行い、登録流量にあれば、該当の登録流量を削除し、削除した登録流量をＱｈ１、Ｑｈ２、Ｑｈ３と保持していく。また、該当の登録流量がなければ最も近い登録流量Ｑｎを削除し、その削除した登録流量をＱｈ１、Ｑｈ２、Ｑｈ３と保持していく。削除した登録流量Ｑｎが減少流量Ｑより小さい場合（Ｑ−Ｑｎが負の場合）、再度登録流量Ｑ１、Ｑ２、Ｑ３と比較を行い、登録流量にあれば、該当の流量を削除しＱｈ１、Ｑｈ２、Ｑｈ３と保持していく。削除した登録流量Ｑｎが減少流量Ｑより大きい場合（Ｑ−Ｑｎが正の場合）、保持しているＱｈ１、Ｑｈ２、Ｑｈ３、Ｑｈ１＋Ｑｈ２、Ｑｈ２＋Ｑｈ３、Ｑｈ１＋Ｑｈ２＋Ｑｈ３と比較し、いずれかと同一とみなしたとき（例えば数パーセント以内で一致する）、Ｑ１、Ｑ２、Ｑ３に登録し、Ｑｈ１、Ｑｈ２、Ｑｈ３を削除する。（例えば、Ｑｈ２＋Ｑｈ３と一致した場合は、Ｑｈ２、Ｑｈ３をＱ２、Ｑ３に登録し、Ｑｈ２とＱｈ３を削除する）。保持しているいずれかのＱｈ１、Ｑｈ２、Ｑｈ３の足し合わせにも同一でない場合は、増加流量としてＱ１、Ｑ２、Ｑ３に登録していく。
【００１９】
上記のように削除した登録流量Ｑｈ１、Ｑｈ２、Ｑｈ３と保持しておくことで、大きなガス使用流量の器具が流量制御したときに小さなガス使用流量の器具の複数の登録が消えてしまっても、大きなガス使用流量の器具が流量停止した際に、ひとつの器具としてでなく、複数の登録流量として登録しなおすことができ、適切な最大個別流量信号を異常流量判定部に出力し異常流量判定部にて適切な継続使用時間にて保安動作を可能とする。
【産業上の利用可能性】
【００２０】
以上のように、本発明に係るガス遮断装置は、流量の減少により一度削除してしまった登録流量を保持しておき、同一とみなせば再度登録することで２つ以上の器具の同時使用を一つの器具と推定することを防止し、実際の継続時間より短い時間にて保安動作を行うことを防止することが可能となり、器具監視装置全般に適用できるものである。
【図面の簡単な説明】
【００２１】
【図１】本発明の実施の形態１におけるガス遮断装置のブロック図
【図２】本発明の実施の形態１におけるガス遮断装置の個別器具登録保持部のフローチャート
【図３】従来のガス遮断装置の制御ブロック図
【図４】従来のガス遮断装置ブロック図
【図５】従来のガス遮断装置の個別器具登録部のフローチャート
【符号の説明】
【００２２】
１  流量計測手段
２  個別流量演算手段
３  個別流量登録保持手段
４  異常流量判定部
５  報知または遮断手段
６  個別流量登録手段
【図１】
0004544277.tif 000002
【図２】
0004544277.tif 000003
【図３】
0004544277.tif 000004
【図４】
0004544277.tif 000005
【図５】
0004544277.tif 000006